(57)【特許請求の範囲】
【請求項１】
互いに相対して立設された一対の外側板と、これら一対の外側板の少なくとも上端部及び下端部の２箇所を含む複数箇所にて、該外側板の相対する内側面間を連結する複数枚の水平板と、それら外側板及び水平板の後縁に張設された背板とからなる前面の開口した箱状の外殻体を有し、この外殻体における少なくとも両外側板の内側面にそれぞれ隣接する位置を含む複数箇所にて、前記複数枚の水平板の相対する上面と下面との間に複数枚の仕切板が縦向きに配設されるとともに、これら仕切板の前縁は前記外側板の前縁よりも所定寸法だけ後退するように設けられてなり、前記各水平板と各仕切板とによって分割された内部区画に、開き戸及び引き違い式の引き戸が選択的に取り付けられた収納家具において、
前記開き戸及び引き戸は、ガラスその他の鏡板と該鏡板の四周を保持する左右の縦框及び上下の横框から構成され、該縦框の見付け幅が仕切板の板厚よりも大きく設定されるとともに、該縦框前面の外縁側に一定の見付け幅に統一された縦長の後退面がそれぞれ形成されたことを特徴とする収納家具。
【請求項２】
選択された一箇所又は隣り合う複数箇所の内部区画にて、該内部区画を囲む左右いずれかの仕切板の前縁近傍の内面にヒンジ金物が取り付けられ、このヒンジ金物を介して該内部区画の前面に開き戸が開閉自在に保持されるとともに、この開き戸を閉扉状態で正面から見たときの左右の外縁位置が、該内部区画を囲む左右両仕切板の板厚中心線よりもそれぞれわずかに内側寄りに設定されたことを特徴とする請求項１記載の収納家具。
【請求項３】
選択された一箇所又は隣り合う複数箇所の内部区画にて、該内部区画を囲む上下の水平板はその前縁を外側板の前縁に揃えて設けられ、上側の水平板の前縁近傍の下面に凹溝が形成されてこの凹溝内にハンガーレールが正面から見えないように取り付けられ、このハンガーレールに掛止されるスライドハンガーを介して該内部区画の前面に引き戸が摺動自在に吊持されるとともに、下側の水平板の前縁近傍の上面にはガイドピンがそのその上端を突出させて設けられ、このガイドピンが前記引き戸の下端面に形成された案内溝に係合することにより該引き戸の摺動が案内されることを特徴とする請求項１記載の収納家具。
【請求項４】
引き違い式の引き戸の閉扉時における前後の引き戸の重なり幅が、仕切板の板厚と同寸に設定されるとともに、前後の引き戸の重なり部分の背後にも仕切板が配置されたことを特徴とする請求項３記載の収納家具。
【請求項５】
引き違い式の引き戸の閉扉時における前後の引き戸の重なり幅が、該引き戸の縦框に形成された後退面の見付け幅と同寸に設定されたことを特徴とする請求項４記載の収納家具。
【請求項６】
引き違い式の引き戸における前側の引き戸の縦框の背面と、後側の引き戸の縦框に形成された後退面との前後間隔が、１３mm乃至１６mmに設定されたことを特徴とする請求項４又は５記載の収納家具。
【請求項７】
開き戸又は引き戸が選択的に取り付けられる内部区画を囲む上側の水平板の下面には、内天板が、その前縁を該内部区画を囲む左右両仕切板の前縁に揃えて取り付けられたことを特徴とする請求項１乃至請求項６のいずれかに記載の収納家具。
【請求項８】
開き戸又は引き戸が選択的に取り付けられる内部区画を囲む上側の水平板には照明装置を収容するための凹部が形成されるとともに、該水平板の下面には、前記凹部に収容可能な照明装置付きの内天板が、その前縁を該内部区画を囲む左右両仕切板の前縁に揃えて取り付けられたことを特徴とする請求項１乃至請求項６のいずれかに記載の収納家具。
【請求項９】
左右方向に相対して配置される仕切板の板厚中心間隔が、所定モジュール又はその整数倍となるように設定されるとともに、各仕切板の板厚が一定寸法に統一されたことを特徴とする請求項１乃至請求項８のいずれかに記載の収納家具。
【請求項１０】
上下方向に相対して配置される水平板の板厚中心間隔が、所定モジュール又はその整数倍となるように設定されるとともに、各水平板の板厚が一定寸法に統一されたことを特徴とする請求項１乃至請求項９のいずれかに記載の収納家具。
【請求項１１】
外殻体の底面における複数箇所に、高さ調節用アジャスターを内蔵した脚部が取り付けられることを特徴とする請求項１乃至請求項１０のいずれかに記載の収納家具。
【発明の詳細な説明】
【０００１】
【発明の属する技術分野】
本発明は、収納家具に関し、より詳細には、棚板や戸、引出し等を自由に組み合わせて構成することのできる、システム性を備えた組立式の収納家具に関する。
【０００２】
【従来の技術】
従来より、設置場所や用途に合わせて多様な組合せができるように構成された収納家具として、システム家具あるいはユニット家具とよばれるものが広く知られている。
【０００３】
この種の収納家具は、一般に、複数種類のサイズが用意されたボックス状のユニットを縦横に隣接させて連結することにより、所望の大きさを備えた収納スペースの全体的な枠組を形成するように構成されており、ユニットの幅や高さは、３０cmや４５cmなどの所定モジュールに則して設定されている。特に、システム家具とよばれるものにおいては、それら各ユニットにそれぞれ互換性のある棚板や開き戸、引出しなどを自由に取り付けて、収納スペースの各部を使用者の好みに応じて機能的に構成することができるようになっている。
【０００４】
【発明が解決しようとする課題】
しかしながら、この種の収納家具においては、多数個のユニットを連結して所望の大きさの収納スペースを形成しようとする際に、各ユニットを構成する側板や横板（天板・底板）が、各ユニットの隣接部分で２枚ずつ接して連結されることとなる。そのため、ユニットの隣接部分を正面から見たときに、側板や横板同士が当接する目地ラインが目立って見苦しくなるとともに、２枚分の板厚によって収納スペースの実効容積が減少してしまうこととなる。
【０００５】
また、一部のユニットに開き戸や引出しを設けると、そのユニットの前面が、他のユニットに比べて開き戸や引出しの前板の板厚分だけ前方に迫り出してしまうこととなり、収納家具全体にわたる前面のデザイン的な統一感が損なわれてしまうという不都合もある。
【０００６】
さらに、一部のユニットに引き違い式の引き戸を設けたい場合、開き戸の支持構造と引き戸の支持構造が一般に異なることから、互いのデザイン的な統一感を確保するのに無理が生じることが多い。またこのとき、引き戸を案内するためのレール部材をユニットの前縁近傍に取り付ける必要も生じるが、このレール部材の取付構造も複雑になり、したがって製品のコストも上昇する。
【０００７】
本発明はこのような事情に鑑みてなされたもので、ユニットを縦横に連結する従来の収納家具とは基本的な構成を異にする組立構造を有し、これによって収納機能を多彩に組み合わせることができると同時に、特にその前面におけるデザイン性に高い統一感が得られるような組立式の収納家具を提供することを目的としている。
【０００８】
【課題を解決する為の手段】
本発明の請求項１記載の収納家具は、互いに相対して立設された一対の外側板と、これら一対の外側板の少なくとも上端部及び下端部の２箇所を含む複数箇所にて、該外側板の相対する内側面間を連結する複数枚の水平板と、それら外側板及び水平板の後縁に張設された背板とからなる前面の開口した箱状の外殻体を有し、この外殻体における少なくとも両外側板の内側面にそれぞれ隣接する位置を含む複数箇所にて、前記複数枚の水平板の相対する上面と下面との間に複数枚の仕切板が縦向きに配設されるとともに、これら仕切板の前縁は前記外側板の前縁よりも所定寸法だけ後退するように設けられてなり、前記各水平板と各仕切板とによって分割された内部区画に、開き戸及び引き違い式の引き戸が選択的に取り付けられることを特徴としている。
【０００９】
すなわちこの収納家具は、所定の大きさに形成される外殻体の内側に仕切板を配設して内部区画を形成し、各内部区画ごとに或いは複数箇所の内部区画にわたって、開き戸、引き戸、棚板又は引出しなどを設けることができるように構成したもので、外殻体の基本構造と仕切板の取付構造を規格化することによって、後述する開き戸や引き戸などの取付構造のシステム化を実現したものとなっている。
【００１０】
そして、請求項２記載の収納家具は、選択された一箇所又は隣り合う複数箇所の内部区画にて、該内部区画を囲む左右いずれかの仕切板の前縁近傍の内面にヒンジ金物が取り付けられ、このヒンジ金物を介して該内部区画の前面に開き戸が開閉自在に保持されるとともに、この開き戸を閉扉状態で正面から見たときの左右の外縁位置が、該内部区画を囲む左右両仕切板の板厚中心線よりもそれぞれわずかに内側寄りに設定されたことを特徴としている。このため、選択された内部区画に設けた開き戸が、他の内部区画に選択的に設けられる他の開き戸や引き戸、引出しなどに干渉するのを構造的に防ぐことができる。
【００１１】
また、請求項３記載の収納家具は、選択された一箇所又は隣り合う複数箇所の内部区画にて、該内部区画を囲む上下の水平板はその前縁を外側板の前縁に揃えて設けられ、上側の水平板の前縁近傍の下面に凹溝が形成されてこの凹溝内にハンガーレールが正面から見えないように取り付けられ、このハンガーレールに掛止されるスライドハンガーを介して該内部区画の前面に引き戸が摺動自在に吊持されるとともに、下側の水平板の前縁近傍の上面にはガイドピンがそのその上端を突出させて設けられ、このガイドピンが前記引き戸の下端面に形成された案内溝に係合することにより該引き戸の摺動が案内されることを特徴としている。この発明によれば、選択された内部区画を囲む上下の水平板の間に、引き戸が見栄えよく取り付けられるとともに、その摺動もスムーズに行われる。
【００１２】
また、請求項４記載の収納家具は、引き違い式の引き戸の閉扉時における前後の引き戸の重なり幅が、仕切板の板厚と同寸に設定されるとともに、前後の引き戸の重なり部分の背後にも仕切板が配置されたことを特徴としている。このため、引き戸の左右いずれかの戸を開扉して前後の引き戸を完全に重ねたときに、その背後に設けられた仕切板の一方の側面と、前後に重なり合った引き戸の外縁が正面から見て同一ラインに揃うので、見栄えが良くなるとともに、引き戸と前記背後の仕切板との一体感が形成される。
【００１３】
また、請求項１記載の収納家具は、前記開き戸及び前記引き戸の少なくとも一部は、ガラスその他の鏡板と該鏡板の四周を保持する左右の縦框及び上下の横框から構成され、該縦框の見付け幅が仕切板の板厚よりも大きく設定されるとともに、該縦框前面の外縁側に一定の見付け幅に統一された縦長の後退面がそれぞれ形成されたことを特徴としている。このように、縦框の外縁側に後退面を設けることにより、その前後方向の段差をつまみとして利用し、開き戸や引き戸の開閉操作を行うことができるとともに、開き戸と引き戸との外観的な統一感を形成することができる。
【００１４】
なお、鏡板とは、一般に建具等の框の内側に嵌め込まれる表面が平滑な一枚板をいうが、ここでは、開き戸や引き戸に利用されるガラス板や樹脂板その他これに類する透明又は半透明の板材類を指す。ただしその板厚は、開き戸や引き戸の框の板厚よりも十分に薄いものとする。
【００１５】
引き違い式の引き戸にあっては、請求項５記載のように、閉扉時における前後の引き  戸の重なり幅が、該引き戸の縦框に形成された後退面の見付け幅と同寸に設定されることにより、閉扉時における前側の引き戸の縦框の外縁と、後側の引き戸の縦框の前面部分の外縁とが、正面から見て同一ラインに揃い、一層すっきりとした外観が形成される。
【００１６】
また、請求項６記載のように、引き違い式の引き戸における前側の引き戸の縦框の背面と、後側の引き戸の縦框に形成された後退面との前後間隔が、１３mm乃至１６mmに設定されることにより、該引き戸の一方を開扉して前後の引き戸を重ね合わせたときでも、前記間隔を利用して前側の引き戸の背後に指先を挿入し、後側の引き戸を操作することができる。そのため、開閉用のつまみ部材などを戸の前面に設けなくともよく、一層すっきりとした外観が形成される。
【００１７】
また、請求項７記載の収納家具は、前記開き戸又は前記引き戸が選択的に取り付けられる内部区画を囲む上側の水平板の下面には、内天板が、その前縁を該内部区画を囲む左右両仕切板の前縁に揃えて取り付けられたことを特徴としている。この内天板は、開き戸や引き戸の上端面と上側の水平板の下面との間に形成される隙間を背後から遮蔽するもので、正面からの美観形成に寄与する。
【００１８】
さらに、請求項８記載のように、前記水平板に照明装置を収容するための凹部を形成し、該水平板の下面には前記凹部に収容可能な照明装置付きの内天板を取り付けることにより、内部区画の演出効果を高めることが可能になる。つまり、水平板の板厚を、照明装置等を収容しうるだけの板厚に予め設定しておくことにより、外殻体の基本構造や寸法を統一したままで、任意の位置に照明装置等を組み込むことができるようになる。
【００１９】
また、請求項９記載の収納家具は、左右方向に相対して配置される前記仕切板の板  厚中心間隔が、所定モジュール又はその整数倍となるように設定されるとともに、各仕切板の板厚が一定寸法に統一されたことを特徴としている。
【００２０】
また、請求項１０記載の収納家具は、上下方向に相対して配置される前記水平板の板厚中心間隔が、所定モジュール又はその整数倍となるように設定されるとともに、各水平板の板厚が一定寸法に統一されたことを特徴としている。
【００２１】
所定モジュールとは、例えば３０cm、４５cm、５０cmなど、家具設計上の単位寸法として適当な合理性を有する寸法であって、仕切板或いは水平板の板厚中心間隔をそれぞれ所定の幅方向のモジュール或いは上下方向のモジュールに則して設定することにより、各仕切板と各水平板とによって分割される内部区画の幅や高さが一定又は整数倍の関係に統一される。そのため、各内部区画に設けられる開き戸、引き戸、棚板などの選択的な部品や外殻体を構成する部材等の仕様を規格化することができる。これにより、収納家具を構成する部材や部品の点数が削減され、製品のコストダウンが図られる。また、収納家具の使用者においても、収納機能のレイアウトを自由に選択し、かつ後からでも柔軟に変更することができるようになる。
【００２２】
また、請求項１１記載の収納家具は、前記外殻体の底面における複数箇所に、高さ調節用アジャスターを内蔵した脚部が取り付けられることを特徴としており、これにより、使用者の望む任意の位置に安定した状態で収納家具を設置することができるようになる。
【００２３】
【発明の実施の形態】
以下、本発明の実施の形態について、図面を参照しつつ説明する。
【００２４】
図１及び図２は、本発明の収納家具の第１の実施の形態を示す。図１は、該収納家具１（１ａ）の正面図であり、図２は、その内部の構成を示す図である。
【００２５】
この収納家具１（１ａ）は、主としてリビングボードや食器棚として使用できるように構成されたもので、前面の開口した箱状の外殻体２を有してその内側に収納空間が形成され、外殻体２の底面に設けられた左右一対の脚部３を介して床の上に設置される。外殻体２は正面視略正方形状に形成され、その外寸は、具体的には幅１５６５mm、脚部３を除く高さ１５４３mm、奥行き４５０mmに設定されている。
【００２６】
内側の収納空間は、図２に示すように、高さ方向について上段・中段・下段の３段に分割されるとともに、縦向きに取り付けられた仕切板４１により、左右方向について左側２／３の部分と右側１／３の部分とに分割されている。
【００２７】
各収納空間の前面には、合計９枚の開き戸５が、それぞれ図５に示すようなヒンジ金物５１を介して取り付けられている。上段及び下段に取り付けられた合計６枚の開き戸５は木製のフラッシュ戸で、各フラッシュ戸の開き手側にはそれぞれアルミニウム合金製の把手金具５２が付設されている。また、中段に取り付けられた３枚の開き戸５は、木製の縦框及び横框の内側に透明板ガラスが嵌め込まれたガラス戸である。
【００２８】
図３及び図４は、前記した収納家具１（１ａ）の基本的な組立構造を、その組立手順に沿って示した分解斜視図である。
【００２９】
外殻体２は、図３に示すように、互いに相対して立設された一対の外側板２１と、これら一対の外側板２１の相対する内側面間を連結する４枚の水平板２２と、これら外側板２１及び水平板２２の後縁に張設された背板２３とから形成される。
【００３０】
外側板２１は、具体的には板厚約３０mmの木製フラッシュパネルで、その内部の要所には耐力用補強材（図示せず）が挟み込まれている。
【００３１】
外側板２１は、その上端部及び下端部の２箇所を含む４箇所にて４枚の水平板２２にそれぞれ連結される。水平板２２は、具体的には板厚約４３mmの木製フラッシュパネルで、この内部にも要所に耐力用補強材が挟み込まれている。外側板２１と水平板２２との連結は、水平板２２の両端部に埋め込まれた既製の連結金具を介して行われる。最上段及び最下段の水平板２２はその前縁が外側板２１の前縁と同一面に揃うように連結されるが、中段２枚の水平板２２はそれよりもやや奥行きが小さく、前縁が外側板２１の前縁よりも約３０mm後退するようにして連結される。
【００３２】
背板２３は、板厚約１５mmのフラッシュパネルで、両外側板２１と最上段及び最下段の水平板２２とによって囲まれる正面視略正方形の空間の背面全体を塞ぐように連結される。この背板２３の連結も、既製の連結金具などを介して行われる。
【００３３】
こうして、前面の開口した箱状の外殻体２が形成され、この外殻体２が、本発明の収納家具１（１ａ）の外部構造を構成するものとなる。この段階で、外殻体２の内側には、上段・中段・下段の３段に分割された収納空間が形成される。
【００３４】
この外殻体２には、図４に示すように、最上段の水平板２２の上面に板厚約１５mmの化粧天板２４が重ねられ、これにより外側板２１の上端面が隠されて、外殻体２の上面に平坦で継ぎ目のない化粧面が形成される。
【００３５】
また、外殻体２の底面の左右両端部にはそれぞれ脚部３が取り付けられる。この脚部３は、外殻体２の前面側及び背面側にそれぞれ配置される前後の接床部３１を、奥行き方向に延びる連結材３２によって連結したもので、前後の接床部３１の内部には下方に向かって進退する螺子式のアジャスター（図示せず）が内蔵され、これを回転させることにより接床部３１の高さを調整できるようになっている。
【００３６】
さらに、外殻体２の内側には、３段の収納空間をさらに左右方向に分割する仕切板４１が取り付けられる。この仕切板４１は板厚約２０mmの木製フラッシュパネルで、その高さは相対する上下の水平板２２の内寸間隔に等しく、またその奥行きは中段に設けられた２枚の水平板２２の奥行きに等しく設定されている。仕切板４１は、両外側板２１の間隔を左側２／３と右側１／３とに分割する位置に、３段とも縦に揃えて取り付けられる。また、同じ仕切板４１が、両外側板２１の内側面に隣接する位置にもそれぞれ取り付けられる。仕切板４１の取り付けは、各仕切板４１の上端面及び下端面にそれぞれ溝状のクリップレール（図示せず）を設ける一方、水平板２２の上面及び下面の所定位置に前記クリップレールに係合可能な係合ビスをねじ込んでおき、クリップレールを係合ビスに係合させつつ、仕切板４１を正面から奥方向に押し込むようにして行う。
【００３７】
こうして、図２に示したように、外殻体２の内側に４枚の水平板２２と３列の仕切板４１とによって囲まれた６箇所の内部区画Ｓが形成される。さらに、図１に示したように、各内部区画Ｓのそれぞれに対して開き戸５が取り付けられる。
【００３８】
開き戸５は、木製のフラッシュ戸、ガラス戸とも同じ板厚で、具体的には把手金具５２の部分を除いて約２４mmに設定され、全ての開き戸５の前面が同一面をなすように取り付けられる。
【００３９】
各開き戸５を保持するヒンジ金物５１は、例えば図５に示すような周知のもので、その固定部５１１が各内部区画Ｓを囲む仕切板４１の内側面にビス固定されるとともに、扉保持部５１２が各開き戸５の背面（ガラス戸にあってはその縦框の背面）に形成された掘り込み部（図１７参照）にビス固定され、固定部５１１と扉保持部５１２とを連結する連結部５１３の機構によって開き戸５の開閉動作が保持されるようになっている。
【００４０】
このヒンジ金物５１により、各開き戸５は、その左右の縁部が閉扉時に背後の仕切板４１の前端面に被さるように保持される。このとき隣り合う開き戸５の縁部同士が互いに干渉するのを防ぐため、各開き戸５の幅は、閉扉状態における左右の外縁位置が正面から見て仕切板４１の板厚中心線よりもそれぞれ約１mm程度ずつ内側寄りになるように設定され、その結果、隣り合う開き戸５の間には約２mm程度の隙間が形成される。
【００４１】
また、上下方向については、上段の開き戸５の下縁部、中段の開き戸５の上下縁部及び下段の開き戸５の上縁部が、中段の２枚の水平板２２の前端面にその板厚の略半分ずつ被さるように、各段の開き戸５の高さ寸法及び取り付け位置が設定されている。ここでも、上下方向に隣り合う各開き戸５の縁部同士が互いに干渉するのを防ぐため、各段の開き戸５の上端面と下端面との間に約２mmの隙間が設けられる。また、上段の開き戸５の上端面と最上段の水平板２２との間、及び下段の開き戸５の下端面と最下段の水平板２２との間にも、それぞれ約２mmの隙間が設けられる。
【００４２】
こうして、９枚の開き戸５が同一面をなすように取り付けられた収納家具１（１ａ）が組み立てられる。さらに、必要に応じて、対向する仕切板４１の間に固定式或いは可動式の棚板などが取り付けられる。
【００４３】
図６及び図７は、本発明の収納家具の第２の実施の形態を示す。この収納家具１（１ｂ）は、前記第１の実施の形態に示した収納家具１（１ａ）と同じ外形を有する外殻体２を利用し、その前面に、開き戸５の代わりに引き違い式の引き戸６を取り付けて構成したものである。図６はその収納家具１（１ｂ）の正面形状を示し、図７は引き戸６を取り外して正面から内部を見た状態を示す。
【００４４】
この収納家具１（１ｂ）は、一対の外側板２１と３枚の水平板２２、及び背板２３とからなる外殻体２を有し、その内側の収納空間は、高さ方向について上側２／３を占める上段及び下側１／３を占める下段に分割されている。さらに、左右方向を略３等分するようにして取り付けられた仕切板４１により、上段及び下段の収納空間はそれぞれ左側・中央・右側の各部に３分割され、合計６箇所の内部区画Ｓが形成されている。
【００４５】
そして、上段及び下段にそれぞれ引き違い式の引き戸６が取り付けられる。この引き戸６はいわゆる２本引き３枚建てのもので、左右２枚の引き戸６は同一面に配置されて前側の軌道を移動し、中央の引き戸６はその背後の軌道を左右いずれにも移動しうるようになっている。
【００４６】
上段に取り付けられた３枚の引き戸６のうち中央部分に位置する引き戸６は、木製の縦框及び横框の内側に透明板ガラスが嵌め込まれたガラス戸で、それ以外は木製のフラッシュ戸である。フラッシュ戸には、それぞれアルミニウム合金製の把手金具６１が付設されている。ただしこの把手金具６１は、例えば図８に示すように、引き戸６の表面からの突出寸法がごく小さくなるように形成されたもので、引き戸６の開閉に支障の無いよう、その突出寸法が前後の引き戸６の間のクリアランスよりも小さくなるように設定されている。これらの引き戸６は、いずれも前記した開き戸５と同様に、把手金具６１の部分を除いて約２４mmの板厚に形成されている。
【００４７】
この収納家具１（１ｂ）を構成する外側板２１と背板２３は前記第１の実施の形態に示したものと同様である。また、外殻体２の最上段の水平板２２の上面には前記と同様の化粧天板２４が重ねられ、外殻体２の底面には前記と同様の脚部３が取り付けられる。水平板２２は、前記第１の実施の形態に示したものと同じ板厚に形成されているが、ここでは、引き戸６を保持するための手段がさらに付加されたものとなっている。
【００４８】
すなわち、図９に示すように、水平板２２は、いずれもその前縁が外側板２１の前縁と同一面に揃うように連結される。さらに、上段及び中段の２枚の水平板２２には、その前縁の下面に引き戸６を吊持するためのハンガーレール７１が組み込まれている。このハンガーレール７１は、アルミニウム合金製の部材で、先端に凸条を有する断面略Ｌ字形のハンガー掛止部７１１が２本並行して配置され、それらの上部が水平部７１２によって連結された形状を有している。そして、上段及び中段の水平板２２の前縁下面にハンガーレール７１の高さとほぼ同じ深さの凹溝２２１が形成され、この凹溝２２１内にハンガーレール７１が取り付けられている。したがって、正面から見たとき、このハンガーレール７１は水平板２２の前端面に隠されて見えないようになる。
【００４９】
このハンガーレール７１には、各引き戸６の上部にそれぞれ固定されたスライドハンガー７２が掛止される。スライドハンガー７２は、下方に延びる細長い固定片７２１とその上部に軸支されたローラー７２２とを備えてなる部品で、このローラー７２２がハンガー掛止部７１１の先端の凸条に掛止されてその摺動が案内される。スライドハンガー７２は、各引き戸６の背面（ガラス戸にあってはその縦框の背面）の左右に１個ずつ、固定片７２１をビス固定して取り付けられる。
【００５０】
また、中段及び下段の水平板２２のそれぞれ前縁上面には、引き戸６の下縁部を案内するためのガイドピン７３が埋設されている。このガイドピン７３は、内蔵されたスプリング（図示せず）により上端が押圧されて水平板２２の上面に突出し、各引き戸６の下端面に形成された案内溝６２に係合するようになっている。これにより、各引き戸６の摺動時における前後方向への揺れやばたつきが制止されて、各引き戸６が安定して摺動することとなる。このガイドピン７３は、引き戸６の前後の軌道上にそれぞれ２個ずつ、正面から見て各引き戸６が重なり合う位置に埋設されている。
【００５１】
なお、ガイドピン７３にスプリングを内蔵したことにより、この引き戸６は着脱自在となっている。すなわち、引き戸６を取り外す際には、引き戸６の左右いずれかから下端面の案内溝６２に細い薄刃状のものを挿し込んでガイドピン７３の先端を下方に押し下げ、引き戸６の下端部を自由にしてこれを手前に引き出すと同時に、引き戸６上部のスライドハンガー７２をハンガーレール７１の後方側に外すようにして引き戸６を取り外す。取り付けの際は逆手順になる。そのため、各ハンガー掛止部７１１の後方には予め適宜の隙間が設けられ、引き戸６の着脱時にスライドハンガー７２を抜き出しやすいようになっている。
【００５２】
この収納家具１（１ｂ）においては、前記のようにして前面に引き違い式の引き戸６が設けられることに伴い、内部に取り付けられる仕切板４１の前縁は、前記第１の実施の形態における仕切板４１の前縁位置よりもやや後退する。すなわち、仕切板４１の前縁が引き戸６に干渉しないよう、外側板２１及び水平板２２の前縁から、引き戸６の２枚分の板厚に前後各部のクリアランスを加えた寸法だけ後退することとなり、具体的には、その後退寸法は約６２mmに設定されている。このように、外殻体２の前縁から仕切板４１の前縁までの後退寸法を複数種類用意することによって、外殻体２の前縁に対する開き戸５及び引き戸６の前面の位置を常に揃えることも可能になる。
【００５３】
以上に述べたように、本発明の収納家具１（１ａ，１ｂ）の構造的特徴は、外殻体２とその内側に設けた仕切板４１とによって縦横に分割された複数箇所の内部区画Ｓが形成され、その内部区画Ｓごとに、形状や開き勝手の異なる開き戸５、引き戸６が選択的に取り付けられる点にある。また、各内部区画Ｓを囲んで対向する左右の仕切板４１を利用して、それらの間に棚板を取り付けたり、仕切板４１に引出し用レールを固定してこれに引出しを取り付けることも可能である。
【００５４】
すなわち、外殻体２とその内側に設けた仕切板４１とからなる構造が本発明の要部を構成し、これによってシステム家具のように多彩な機能性が得られるものとなる。内部区画Ｓを囲む水平板２２及び仕切板４１の枚数や取り付け位置を変更して、内部区画Ｓの分割状態を柔軟に変化させることができるとともに、形成された各内部区画Ｓごとに、それぞれ任意に選択した部品を取り付けることができる。
【００５５】
かかる機能的な特長をさらに充実させるため、本発明においては、外殻体２の内側に形成される内部区画Ｓのモジュール化が図られるとともに、内部区画Ｓに選択的に取り付けられる開き戸５、引き戸６、棚板などの部品もモジュールに合わせて規格化されている。また、内部区画Ｓのモジュールに対応して外殻体２にも複数種類のサイズバリエーションが与えられる。これにより、収納機能の構成における選択の自由度が高められる。また、各部を構成する部材や部品のコストダウンが図られ、さらにデザイン的にも統一感が形成されることとなる。以下、その具体的な構成について詳述する。
【００５６】
前記した２種類の実施の形態においては、外殻体２の内側の収納空間が上下方向に２段乃至３段、左右方向に２列乃至３列に分割されていたが、収納空間を分割するこれら仕切板４１及び水平板２２の対向間隔を所定モジュールに則して設定することにより、それらによって囲まれる内部区画Ｓの幅と高さが一定寸法又はその整数倍の関係に統一されることとなる。厳密には、仕切板４１及び水平板２２の対向間隔を、それぞれの板厚中心間隔を基準としてモジュール化するのが合理的である。
【００５７】
前記した実施の形態を例にとって具体的な寸法関係を説明すると、幅方向については単位となるモジュールが４９５mm（以下、この寸法を記号「Ｍｘ」で表す）に設定されており、左右両外側板２１の内側面に隣接して設けられる左右の仕切板４１の板厚中心間隔は３Ｍｘ＝１４８５mmとなっている。各仕切板４１の板厚は２０mm（以下、この板厚を記号「Ｔａ」で表す。）なので、両外側板２１の内側面間の内法は３Ｍｘ＋Ｔａ＝１５０５mmであり、この寸法は水平板２２の長さに一致する。さらに、外側板２１の板厚が３０mmなので、これを含んだ外殻体２の外寸幅が１５６５mmとなっている。そして、中間部分に配置される仕切板４１は、その板厚中心位置が左右いずれかの仕切板４１の板厚中心から４９５mmだけ離れた位置に取り付けられる。
【００５８】
また、前記した実施の形態では、上下方向のモジュール（以下、これを記号「Ｍｙ」で表す）についても幅方向のモジュールＭｘと同じ４９５mmに設定されている。そして、最上段の水平板２２と最下段の水平板２２の板厚中心間隔が３Ｍｙ＝１４８５mmとなっている。したがって、各水平板２２の板厚４３mm（以下、この板厚を記号「Ｔｂ」で表す）を加えた外殻体２の高さは３Ｍｙ＋Ｔｂ＝１５２８mmとなる。この寸法は外側板２１の長さに一致する。これに化粧天板２４の板厚１５mmを加えると１５４３mmになり、これが脚部３を除く全体の高さになる。中段に設けられる水平板２２の位置は、最上段又は最下段の水平板２２の板厚中心から４９５mmだけ離れた位置になる
内部区画Ｓの幅×高さは、このように設定された幅方向及び上下方向のモジュールＭｘ，Ｍｙを基準として、それぞれｍＭｘ×ｎＭｙ（ｍ，ｎは整数）に設定される。したがって、各内部区画Ｓごとに設けられる開き戸５、引き戸６、引出し、棚板など選択的な部品も、内部区画Ｓの幅×高さの組合せパターンの範囲内で一定の仕様に規格化される。これにより選択的な部品の構成がシステム化され、製品のコストダウンが図られるとともに、収納機能の組み合わせに対する使用者の選択自由度もさらに拡大される。
【００５９】
さらに、内部区画Ｓのモジュールに対応して、外殻体２を構成する外側板２１、水平板２２、背板２３、化粧天板２４等の部材寸法も一定パターンの範囲内に規格化される。仕切板４１の寸法についても同様である。これにより、外殻体２の外形寸法も規格化されるので、複数の外殻体２を隣接させて設置する場合に互いの大きさを揃えることも可能になる。
【００６０】
図１０乃至図１５は、本発明の収納家具１を前記モジュールに則してさまざまなサイズで構成するとともに、大小各パターンに形成した内部区画Ｓにそれぞれ開き戸５や引き戸６などの選択的な部品を取り付けて収納機能を多彩に構成した実施の形態を例示したものである。
【００６１】
図１０に示した収納家具１（１ｃ）は、収納空間全体の幅×高さが３Ｍｘ×２Ｍｙに設定されている。その内側の上段左側には２Ｍｘ×１Ｍｙの内部区画Ｓが形成され、ここには両開き式の開き戸５が設けられている。上段右側には１Ｍｘ×１Ｍｙの内部区画Ｓが形成され、ここには左側を吊元とする開き戸５が設けられている。下段も同様に、左側に２Ｍｘ×１Ｍｙの内部区画Ｓ、右側に１Ｍｘ×１Ｍｙの内部区画Ｓが形成され、それぞれに両開き式の開き戸５、片開き戸５が設けられている。上段の開き戸５はガラス戸で、下段の開き戸５はフラッシュ戸である。
【００６２】
図１１に示した収納家具１（１ｄ）は、収納空間全体の幅×高さが２Ｍｘ×３Ｍｙに設定されている。上部には２Ｍｘ×２Ｍｙの内部区画Ｓが形成され、ここには上下方向に開閉扉して開扉時には該内部区画Ｓの奥行き方向に扉を後退させて収容しうる形態のフリッパードア８が設けられている。（フリッパードア８の構造については後述する。）また、下部には２Ｍｘ×１Ｍｙの内部区画Ｓが形成され、ここには３段の引出し４２が取り付けられている。
【００６３】
図１２に示した収納家具１（１ｅ）は、収納空間全体の幅×高さが３Ｍｘ×３Ｍｙに設定されている。上段左側には１Ｍｘ×１Ｍｙの内部区画Ｓが形成され、ここには右側を吊元とする開き戸５が設けられている。上段右側には２Ｍｘ×１Ｍｙの内部区画Ｓが形成され、ここには両開き式の開き戸５が設けられている。中段及び下段には、１Ｍｘ×１Ｍｙの内部区画Ｓが６箇所形成され、それぞれに２段の引出し４２が取り付けられている。
【００６４】
図１３に示した収納家具１（１ｆ）は、収納空間全体の幅×高さが４Ｍｘ×４Ｍｙに設定されている。上段には２Ｍｘ×２Ｍｙの内部区画Ｓが左右２箇所形成され、それらの前面に４Ｍｘ×２Ｍｙの引き違い式の引き戸６が設けられている。中段には２Ｍｘ×１Ｍｙの内部区画Ｓが左右２箇所形成され、それらの前面に４Ｍｘ×１Ｍｙの引き違い式の引き戸６が設けられている。上段の引き戸６はフラッシュ戸で、中段の引き戸６はガラス戸である。さらに下段には２Ｍｘ×１Ｍｙの内部区画Ｓが左右２箇所形成され、それぞれに２段の引出し４２が取り付けられている。
【００６５】
図１４に示した収納家具１（１ｇ）も、収納空間全体の幅×高さが４Ｍｘ×４Ｍｙに設定されている。上段には２Ｍｘ×１Ｍｙの内部区画Ｓが左右２箇所形成され、それぞれに上方に開閉扉するフリッパードア８が設けられている。中段には２Ｍｘ×２Ｍｙの内部区画Ｓが左右２箇所形成され、それぞれの前面に両開き式の開き戸５が設けられている。この開き戸５はガラス戸である。さらに下段には２Ｍｘ×１Ｍｙの内部区画Ｓが左右２箇所形成され、それぞれに１段の引出し４２が取り付けられている。
【００６６】
図１５に示した収納家具１（１ｈ）も、収納空間全体の幅×高さが４Ｍｘ×４Ｍｙに設定されている。上段には２Ｍｘ×１Ｍｙの内部区画Ｓが左右２箇所形成され、それらの前面にわたって４Ｍｘ×１Ｍｙの引き違い式の引き戸６が設けられている。中段の左側及び右側には１Ｍｘ×２Ｍｙの内部区画Ｓがそれぞれ形成され、中段の中央には２Ｍｘ×２Ｍｙの内部区画Ｓが形成されている。そして、中段全体にわたって４枚引きの引き違い式の引き戸６が設けられている。この引き戸６のうち中央側２枚の引き戸６はガラス戸で、左右の引き戸６はフラッシュ戸である。また、下段には２Ｍｘ×１Ｍｙの内部区画Ｓが左右２箇所形成され、それらの前面にわてって４Ｍｘ×１Ｍｙの引き違い式の引き戸６が設けられている。
【００６７】
以上に例示したように、本発明の収納家具１（１ａ，１ｂ，１ｃ…）においては、所定のモジュールに則して形成される内部区画Ｓの幅や高さに合わせて、開き戸５や引き戸６などの選択的な部品を柔軟に選択して構成することができる。すなわち、この収納家具１は、従来一般のいわゆるシステム家具に劣らない十分なシステム性を備えたものである。
【００６８】
なお、前記した実施の形態においては、幅方向及び上下方向のモジュールＭｘ，Ｍｙをいずれも４９５mmに設定しているが、幅方向のモジュールＭｘと上下方向のモジュールＭｙとは必ずしも同寸である必要なく、別々の寸法に設定されてもよい。また、その具体的な寸法については、例えば３００mm、４００mm、４５０mm、５００mm、７５０mmなど、家具設計上の単位寸法として適当な合理性を有する寸法である限り特に限定されるものではない。
【００６９】
続いて、この収納家具１を前記のように多彩な形態で構成する場合の各部の詳細構造について述べる。
【００７０】
まず、開き戸５や引き戸６をガラス戸とする場合の各部の形状や寸法関係について説明する。図１６は、ガラス戸のガラスＧを保持する開き戸５の横框５３及び引き戸６の横框６３の縦断面図で、図中右側が正面側である。図１７は、同じく開き戸５の縦框５４及び引き戸６の縦框６４の横断面図で、図中下側が正面側である。各図とも（ａ）は開き戸５、（ｂ）は引き戸６の形態を示している。また、図１８（ａ），（ｂ）は、３Ｍｘ×１Ｍｙの範囲に３枚のガラス戸からなる開き戸５を設けた状態をそれぞれ正面図及び横断面図によって示し、図１９（ａ），（ｂ）は、同じく３Ｍｘ×１Ｍｙの範囲に３枚のガラス戸からなる引き違い式の引き戸６を設けた状態をそれぞれ正面図及び横断面図によって示す。
【００７１】
開き戸５と引き戸６の間では、ガラス戸のガラスＧを保持する横框５３，６３及び縦框５４，６４がそれぞれ共通の外観形状となるように形成され、互いのデザイン的な統一が図られている。またその奥行きも同寸で、図示した例では具体的には約２４mmに設定さている。
【００７２】
横框５３，６３は、図１６に示すように、平坦な見付け面を有し、その高さ寸法は具体的には約２０mmに設定されている。横框５３，６３の背面側の内縁部分には切欠部５３１，６３１が形成され、この切欠部５３１，６３１を利用してガラスＧが背面側から嵌め込まれる。このガラスＧは、背面側からさらに重ねて取り付けられた押さえ枠材５３２，６３２によって固定されている。引き戸６にあっては、下側の横框６３の下端面に案内溝６２が形成され、これに前記したガイドピン７３が係合されるようになっている。
【００７３】
縦框５４，６４は、図１７に示すように、横框５３，６３よりも幅の広い見付け面を有する。縦框５４，６４の背面側の内縁部分には、前記横框５３，６３と同様に切欠部５４１，６４１が形成されてそこにガラスＧが嵌め込まれ、さらに押さえ枠材５４２，６４２によって固定されている。前面の外縁側には、一定の見付け幅を有する縦長の後退面５４３，６４３が形成されている。具体的には、横框５３，６３の幅は４５mmで、後退面５４３，６４３の見付け幅は仕切板４１の板厚に一致するよう約２０mm、後退寸法は約１０mmに設定されている。縦框５４，６４の後退面５４３，６４３は、縦框５４，６４の上下両端部分を横框５３，６３の高さに相当する２０mmずつ残して形成されている。そのため、図１８及び図１９に示すように、横框５３，６３の両端が各戸の左右両縁まで連続し、デザイン的には、開き戸５の場合も引き戸６の場合も水平ラインが強調されたイメージになっている。
【００７４】
なお、図１７に示すように、開き戸５における吊元側の縦框５４には、その背面の上下２箇所に、図５に示した前記ヒンジ金物５１の扉保持部５１２を嵌め込んで固定するための掘り込み部５４４が形成される。一方、引き戸６における左右両縦框６４には、その背面の上端部に、図９に示した前記スライドハンガー７２の固定片７２１をビス固定するための凹部６４４が形成される。すなわち、これら縦框５４，６４の断面寸法は、前記ヒンジ金物５１やスライドハンガー７２の部品形状を考慮した上で、いずれの部品が取り付けられても該部品が縦框５４，６４の背面に隠れ、正面に統一された外観が形成されるように割り出されたものである。
【００７５】
また、縦框５４，６４にこのような後退面５４３，６４３を形成することにより、縦框５４，６４の前面は幅約２５mm、奥行き約１０mmの凸出面となる。そして、この凸出面の両側を指で挟むなどして開き戸５や引き戸６の開閉操作を行うことができる。すなわち、この縦框５４，６４は、把手としての機能を備えるものでもあって、これにより別途に把手金具などを設けることが不要になり、デザイン的にもよりすっきりとした印象を形成することができる。
【００７６】
さらに、図２０に示すように、引き違い式の引き戸６の場合には、前後の引き戸６を重ね合わせたとき、前側の引き戸６の縦框６４の背面と後側の引き戸６の縦框６４に形成された後退面６４３との間に、後退面６４３の後退寸法１０mmと前後の引き戸６のクリアランス（この例では約４mm）とを合わせた隙間が形成されることなる。そのため、この隙間に指先を挿入して、後側の引き戸６の開閉操作を行うことも可能になる。このように、後退面６４３によって形成される隙間を指掛かりとして利用することを前提とすれば、隙間の間隔Ｋは概ね１３mm乃至１６mmに設定するのが適当である。
【００７７】
ところで、開き戸５と引き戸６とはその開閉動作の構造が異なるため、それぞれの幅寸法の設定については以下のような関係になる。
【００７８】
開き戸５については、前記したように、閉扉時に左右の縁部が背後の仕切板４１の前端面に被さるとともに、隣り合う開き戸５の縁部同士が互いに干渉しないよう２mm程度の隙間を設けて取り付けられる。したがって、図１８に示すように、仕切板４１の板厚中心間隔が幅方向のモジュールＭｘに設定されている場合には、その仕切板４１に取り付けられる開き戸５の幅は、幅方向のモジュールＭｘの整数倍ｍＭｘから隙間の寸法（これをＤａとする。）を減じて得られる寸法、つまりｍＭｘ−Ｄａとなる。なお、開き戸５におけるこの寸法設定は、ガラス戸でなくフラッシュ戸の場合でも同様である。
【００７９】
他方、引き違い式の引き戸６については、図１９に示すように，閉扉時に前後の引き戸６が一部ずつ重なり合うとともに、左右の縁部がその背後の仕切板４１の前端面を完全に隠すものとなる。そのため、仕切板４１の板厚中心間隔が幅方向のモジュールＭｘに設定され、また仕切板４１の板厚がＴａである場合には、各引き戸６の左右幅が、幅方向のモジュールの整数倍ｍＭｘに仕切板４１の板厚Ｔａを加えた寸法、つまりｍＭｘ＋Ｔａとなるように設定されている。これは、閉扉時における前後の引き戸６の重なり幅Ｗと仕切板４１の板厚Ｔａとを一致させる寸法設定である。そして、これにより、閉扉時における前後の引き戸６の重なり幅Ｗが、ガラス戸の縦框６４に形成された後退面６４３の見付け幅とも一致することとなる。すると、閉扉状態を正面から見たとき、前側の引き戸６の縦框６４の外縁と後側の引き戸６の縦框６４の前面部分の外縁とが同一ラインに揃って、すっきりとした美しい外観が形成される。
【００８０】
なお、引き違い式の引き戸６において、前後の引き戸６が重なり合う部分の背後にも仕切板４１が配置される場合があるが、前記寸法設定によれば、図２０に示すように、開扉時に、背後の仕切板４１の一方の側面と、重なり合った前後の引き戸６の外縁とが、正面から見て同一ラインに揃うこととなる。そのため、正面からの見栄えが良くなるとともに、前後の引き戸６の外縁と背後の仕切板４１の側面とが視覚的に連続してそれらの一体感が形成される。この寸法設定によって得られる作用効果については、引き戸６がガラス戸でなく表面の平坦なフラッシュ戸である場合も同様である。
【００８１】
また、開き戸５及び引き戸６の高さ寸法の設定については以下のような関係になる。
【００８２】
まず、開き戸５については、その吊元側に位置する仕切板４１にヒンジ金物５１を介して取り付けられるので、開き戸５の上下に位置する水平板２２の取付形態を複数パターン設定することができる。
【００８３】
第１は、図２１に示すように、開き戸５の上下に位置する水平板２２の前縁を外殻体２の前縁から後退させ、その前端面に開き戸５の上縁及び下縁を被せるように設けるパターンである。このパターンでは、開き戸５の上縁及び下縁が上下の各水平板２２の前端面にその板厚の略半分ずつ被さるとともに、さらにその上段や下段に設けられる可能性のある他の開き戸５等と干渉しないよう、水平板２２の板厚中心線の位置に２mm程度の隙間を設けて取り付けられる。したがって、水平板２２の板厚中心間隔が上下方向のモジュールＭｙに設定されている場合には、開き戸５の高さは、上下方向のモジュールＭｙの整数倍ｎＭｙから隙間の寸法（これは前記Ｄａに同じとする。）を減じて得られる寸法、つまりｎＭｙ−Ｄａとなる。
【００８４】
第２は、図２２に示すように、開き戸５の上下に位置する水平板２２の前縁を外殻体２の前縁に揃え、上下の水平板２２の間に開き戸５を挟むように設けるパターンである。このパターンでは、開き戸５の高さは上下の水平板２２の内法間隔よりも小さくなり、開き戸５の上端面及び下端面と上下の水平板２２との間にそれぞれ２mm程度の隙間（これをＤｂとする。）が設けられる。したがって、水平板２２の板厚中心間隔が上下方向のモジュールＭｙに設定され、また水平板２２の板厚がＴｂである場合には、開き戸５の高さは、上下方向のモジュールの整数倍ｎＭｙから水平板２２の板厚Ｔｂを減じ、さらに上下の隙間の寸法（２×Ｄｂ）を減じた寸法、つまりｎＭｙ−Ｔｂ−２Ｄｂとなる。
【００８５】
第３は、図２３に示すように、開き戸５の上下に位置する水平板２２のうちいずれか一方の水平板２２の前縁を外殻体２の前縁に揃えるとともに、他方の水平板２２の前縁を外殻体２の前縁から後退させ、その後退した水平板２２の前端面に開き戸５の上下いずれか一方の縁部を被せるように設けるパターンである。このパターンにおける開き戸５の高さは、上下方向のモジュールの整数倍ｎＭｙから水平板２２の板厚Ｔｂの１／２を減じ、さらに上下の隙間の寸法（１／２×Ｄａ及びＤｂ）を減じた寸法、つまりｎＭｙ−１／２Ｔｂ−１／２Ｄａ−Ｄｂとなる。
【００８６】
このように、水平板２２及び開き戸５の取付形態を選択可能とすることによって、例えば、水平板２２の前縁を隠して開き戸５を上下に複数段連続させて配置し、上下方向にまとまりのあるイメージを形成したり、反対に、水平板２２の前面が見えるようにして水平ラインを強調したり、など、収納家具１の前面の上下各段にわたってデザイン的な調和を図ることができる。
【００８７】
他方、引き戸６を設ける場合には、図９に示したように、引き戸６を保持・案内するためのハンガーレール７１やガイドピン７３を引き戸６の上下に位置する水平板２２の前縁部分に設ける必要があることから、上下の水平板２２の前縁は外殻体２の前縁に揃えられるとともに、引き戸６の高さは該上下の水平板２２の内法間隔よりも小さくなる。したがって、板厚Ｔｂの水平板２２がその板厚中心を上下方向のモジュールＭｙに則して配置される場合、各引き戸６の上下高さは、上下方向のモジュールの整数倍ｎＭｙから水平板２２の板厚Ｔｂを減じ、さらに引き戸６の上下に設けられるクリアランスの和Ｄｃを減じた寸法、つまりｎＭｙ−Ｔｂ−Ｄｃとなる。
【００８８】
なお、以上に述べた開き戸５及び引き戸６の高さについての設定は、ガラス戸、フラッシュ戸とも共通である。
【００８９】
続いて、モジュール化された内部区画Ｓの内側に設けられる棚板等について説明する。内部区画Ｓを囲む仕切板４１の板厚中心間隔が幅方向のモジュールＭｘに設定され、またその仕切板４１の板厚がＴａである場合には、左右の仕切板４１の間に、長さがｍＭｘ−Ｔａの寸法に形成された棚板を取り付けることができる。この棚板の奥行きは、仕切板４１の奥行きに揃えるか、又は仕切板４１の奥行きよりも幾分小さくするのが適当である。かかる棚板を固定式とする場合にはビスその他の連結金具等を介して棚板と仕切板４１とを固定する。また、棚板を可動式とする場合には、仕切板４１の側面に複数個のダボ穴を前後２列に形成するなどして棚板を架け渡す。これらの棚板は、要求される構造的強度が水平板２２よりも小さいくなるので、その板厚も水平板２２より小さくすることができる。本例では具体的に約２４mmに設定している。
【００９０】
なお、例えば高さが２Ｍｘ以上の大きさに区画された内部区画の内側に固定式の棚板を設け、この棚板の板厚中心線を挟んで上下に別々の開き戸５を設けることも可能である。この場合、棚板及び開き戸５の取付状態は、前記図２１において示した水平板２２のいずれかを固定式の棚板に置き換えたものと同じ納まりになる。
【００９１】
ところで、前記図９や図２２に示した実施の形態では、引き戸６や開き戸５の上端面とその上側に位置する水平板２２との間に隙間が形成されるため、この隙間を正面から見たときに美観が損なわれるおそれがある。そこで、図２４に示すように、該開き戸５や引き戸６の上側に位置する水平板２２の下面に、棚板と同様の平板状に形成された内天板４３を重ねて取り付け、該隙間を背後から遮蔽することができる。これにより、正面からの美観も確保される。また、この内天板４３の奥行きを仕切板４１の奥行きと同寸に揃えると、内部区画Ｓの内側も平坦ですっきりとしたものになる。
【００９２】
さらに、図２５に示すように、この内天板４３にダウンライト９１やその操作スイッチ９２などの照明装置９を組み込んで、内部区画Ｓの内側を照明することができる。前面にガラス戸からなる開き戸５や引き戸６が設けられる場合には、内部区画Ｓを照明することにより高い演出効果が得られる。このとき、照明装置９の高さが内天板４３の板厚よりも大きくなって内天板４３の上方に突出する場合には、あらかじめ水平板２２の下面に照明装置９の該突出部を収容しうる大きさの凹部２２２を形成しておくことにより、照明装置９を無理なく取り付けることができる。なお、図２５中に示した符号４４は棚板であり、このように照明装置を取り付ける場合には、この棚板４４をガラス板や透明の樹脂板等からなる可動式のものとしてもよい。
【００９３】
ちなみに、前記実施の形態においては水平板２２の板厚Ｔｂを４３mmと設定しているが、これは、水平板２２を４Ｍｘ＝１９８０mm程度のスパンで架設した場合でも水平板２２自体に実用上支障となるような撓みが発生しない程度の曲げ剛性を確保するとともに、前記したハンガーレール７１や照明装置９などを無理なくかつ見栄えよく水平板２２の板厚の範囲内に組み込むことを考慮して具体的に設定したものである。
【００９４】
続いて、第４の実施の形態（図１１）に示したフリッパードア８について説明する。図２６は、フリッパードア８の取付構造を示す縦断面図であり、（ａ）は閉扉状態、（ｂ）は開扉状態をそれぞれ示している。
【００９５】
この例では、水平板２２が２Ｍｙの間隔を設けて上下に配置され、これらの水平板２２によって囲まれた内部区画Ｓの前面に、上方及び下方にそれぞれ開く２枚のフリッパードア８が取り付けられている。
【００９６】
各フリッパードア８は、前板８１とその吊元側にヒンジ金物８２を介して連結された奥板８３とから構成され、前板８１がヒンジ金物８２を支点にして手前側に約９０度回動するようになっている。
【００９７】
上側の水平板２２の下方及び下側の水平板２２の上方には、それぞれ一定の間隙を設けてフリッパードア支持板８４が取り付けられている。このフリッパードア支持板８４は、左右の仕切板４１の間に固定式の棚板と同様にして取り付けられる。これにより、上下の各水平板２２と各フリッパードア支持板８４との間に、フリッパードア８を収容するための戸袋８５が形成される。各フリッパードア支持板８４の戸袋８５側には、フリッパードア８を前後方向に摺動させるためのレール部材８６が取り付けられており、このレール部材８６に、フリッパードア８の奥板８３が離脱しないように係合されている。そのため、奥板８３は常時水平に保持されることとなる。
【００９８】
閉扉時には、奥板８３がフリッパードア支持板８４の前縁付近まで前進しており、これにヒンジ金物８２を介して連結された前板８１が内部区画Ｓの前面を遮蔽している。そして、開扉時には、各前板８１を一旦手前側に回動させて水平状態にしてから、奥板８３とともに戸袋８５内に押し込む。すると、奥板８３と前板８１とがレール部材８６に沿って摺動しながら戸袋８５に収容される。
【００９９】
このようなフリッパードア８は、開扉時には背後の内部区画Ｓが全面的に開放されるとともに前板８１が戸袋８５内に収容されるので、例えば、テレビその他の視聴覚機器を収納する場合などに好都合である。
【０１００】
なお、このフリッパードア８は、前記のような上下開きでなく左右開きとなるように設けることも可能である。その場合には、内部区画Ｓを囲む左右の仕切板４１のそれぞれ内側に、仕切板４１と同形状のフリッパードア支持板を縦向きに設けて戸袋を形成する。
【０１０１】
以上のように、本発明の収納家具１においては、内部区画Ｓのモジュール化に対応させて各部の構造や寸法を設定することにより、開き戸５、引き戸６、棚板などの部材・部品を規格化してコストダウンを図ることができるとともに、各部のデザイン的な統一感も得ることができる。したがって、収納機能を多彩に組み合わせて構成しながら、全体として一体感のある外観を形成することができる。
【０１０２】
なお、前記実施の形態に示した各部材・部品の寸法はあくまで設計上の一例であり、幅方向及び上下方向のモジュールＭｘ，Ｍｙや各部材・部品の仕様によっては、それらの寸法を前記のような関連付けに基づいて相互に変更することはもちろん可能である。
【０１０３】
また、この収納家具１は、使用者が各部材・部品を適宜選択して組み合わせるような組立式家具として製造・販売するだけでなく、あらかじめ複数種類の構成パターンを用意しておき、それぞれ完成品の状態で販売することも可能である。
【０１０４】
【発明の効果】
本発明によれば、外側板と水平板とを有して形成される外殻体の内側に仕切板を配設することにより、所望の大きさの内部区画を個別に形成することができる。そのため、これら各内部区画ごとに或いは複数箇所の内部区画にわたって、開き戸、引き戸、棚板又は引出しなどを選択的に設け、多彩な収納機能を組み合わせて構成することができる。
【０１０５】
特に、開き戸及び引き戸については、それらの取付構造を規格化することによってデザイン的な統一感が形成されるとともに、機能的にも優れたものとなる。
【０１０６】
さらに、水平板や仕切板の板厚中心間隔をモジュール化することにより、内部区画の幅や高さが一定又は整数倍の関係に統一される。そして、各内部区画に設けられる開き戸、引き戸、棚板などの仕様を内部区画のモジュールに対応させて関連付けることにより、部材・部品の点数が削減され、製品のコストダウンが図られるとともに、収納機能の組み合わせにおける自由度も大きくなる。
【図面の簡単な説明】
【図１】本発明の収納家具の第１の実施の形態を示す正面図である。
【図２】前記収納家具の開き戸を取り外して内部を見た状態を示す正面図である。
【図３】前記収納家具の基本的な組立構造を示す第１の分解斜視図である。
【図４】同じく第２の分解斜視図である。
【図５】開き戸を保持するヒンジを示す説明図である。
【図６】本発明の収納家具の第２の実施の形態を示す正面図である。
【図７】図６の収納家具の引き戸を取り外して内部を見た状態を示す正面図である。
【図８】図６の収納家具の引き戸に設けられる把手金具の斜視図である。
【図９】図６の収納家具における水平板の前縁及び引き戸の部分縦断面図である。
【図１０】本発明の収納家具の第３の実施の形態を示す正面図である。
【図１１】本発明の収納家具の第４の実施の形態を示す正面図である。
【図１２】本発明の収納家具の第５の実施の形態を示す正面図である。
【図１３】本発明の収納家具の第６の実施の形態を示す正面図である。
【図１４】本発明の収納家具の第７の実施の形態を示す正面図である。
【図１５】本発明の収納家具の第８の実施の形態を示す正面図である。
【図１６】本発明の収納家具に取り付けられるガラス戸の縦断面図であり、（ａ）は開き戸、（ｂ）は引き戸の場合の形態を示す。
【図１７】同じくガラス戸の横断面図であり、（ａ）は開き戸、（ｂ）は引き戸の場合の形態を示す。
【図１８】３枚のガラス戸からなる開き戸の取付状態を示す図であり、（ａ）は正面図、（ｂ）は横断面図である。
【図１９】３枚のガラス戸からなる引き戸の取付状態を示す図であり、（ａ）は正面図、（ｂ）は横断面図である。
【図２０】引き違い式の引き戸において、前後の引き戸を重ね合わせた状態の部分横断面図である。
【図２１】開き戸の高さ寸法の設定について、その第１のパターンを示す縦断面図である。
【図２２】同じく第２のパターンを示す縦断面図である。
【図２３】同じく第３のパターンを示す縦断面図である。
【図２４】水平板の下面に内天板を重ねて取り付けた状態を示す縦断面図である。
【図２５】水平板の下面に照明装置を組み込んだ内天板を取り付けた状態を示す縦断面図である。
【図２６】フリッパードアの取付構造を示す縦断面図であり、（ａ）は閉扉状態、（ｂ）は開扉状態を示す。
【符号の説明】
１（１ａ，１ｂ，１ｃ，１ｄ…）  収納家具
２  外殻体
２１  外側板
２２  水平板
２２１  凹溝
２２２  凹部
２３  背板
３  脚部
４１  仕切板
４２  引出し
４３  内天板
５  開き戸
５１  ヒンジ金物
６  引き戸
６２  案内溝
５３，６３  横框
５４，６４  縦框
５４３，６４３後退面
７１  ハンガーレール
７２  スライドハンガー
７３  ガイドピン
８  フリッパードア
９  照明装置
Ｇ  ガラス
Ｍｘ  幅方向のモジュール
Ｍｙ  上下方向のモジュール
Ｓ  内部区画
Ｔａ  仕切板の板厚
【図１】
0004359358.tif 000002
【図２】
0004359358.tif 000003
【図３】
0004359358.tif 000004
【図４】
0004359358.tif 000005
【図５】
0004359358.tif 000006
【図６】
0004359358.tif 000007
【図７】
0004359358.tif 000008
【図８】
0004359358.tif 000009
【図９】
0004359358.tif 000010
【図１０】
0004359358.tif 000011
【図１１】
0004359358.tif 000012
【図１２】
0004359358.tif 000013
【図１３】
0004359358.tif 000014
【図１４】
0004359358.tif 000015
【図１５】
0004359358.tif 000016
【図１６】
0004359358.tif 000017
【図１７】
0004359358.tif 000018
【図１８】
0004359358.tif 000019
【図１９】
0004359358.tif 000020
【図２０】
0004359358.tif 000021
【図２１】
0004359358.tif 000022
【図２２】
0004359358.tif 000023
【図２３】
0004359358.tif 000024
【図２４】
0004359358.tif 000025
【図２５】
0004359358.tif 000026
【図２６】
0004359358.tif 000027